(57)【要約】【課題】  積雪地における雪の処理のための融雪槽で、その融雪槽本体に雪を投入するときにのみ開け、通常は落下の危険を防止するために閉じておく融雪槽の開閉蓋に関し、あらゆる方向から雪を融雪槽に投入できる開閉蓋を提供する。【解決手段】  融雪槽本体の上部に平面視で中央が矩形に開口した固定蓋11と、固定蓋11の開口の対向する周縁に平行に近接した一対の受軸11bと、固定蓋11の開口を塞ぎ受軸11bに載る開閉蓋12を設け、開閉蓋12の下面の両端部に略倒立「Ｕ」の字状の下向きに開口した一対の係合切欠き12cを設け、開閉蓋12の一対の係合切欠き12cが固定蓋11の一対の受軸11bにはまり込み、開閉蓋12を左右両方向に開閉可能とした。【選択図】図４
0003127640.tif 000002
【実用新案登録請求の範囲】
【請求項１】
地面下に埋設された融雪槽本体内に融雪水を溜め、融雪槽本体に投入された雪を融雪し、融雪された雪を融雪水として融雪槽本体外に排出する融雪槽において、融雪槽本体の上部に平面視で中央が矩形に開口した固定蓋と、固定蓋の開口の対向する周縁に平行に近接した一対の受軸と、固定蓋の開口を塞ぎ受軸に載る開閉蓋を設け、開閉蓋の下面の両端部に略倒立「Ｕ」の字状の下向きに開口した一対の係合切欠きを設け、開閉蓋の一対の係合切欠きが固定蓋の一対の受軸にはまり込み、開閉蓋を左右両方向に開閉可能とした融雪槽の開閉蓋。
【請求項２】
固定蓋の開口を塞ぐ開閉蓋を複数枚とし、垂直方向の側板に一対の係合切欠きを設けた請求項１記載の融雪槽の開閉蓋。
【考案の詳細な説明】
【技術分野】
【０００１】
本考案は、積雪地における雪の処理のための融雪槽で、その融雪槽本体に雪を投入するときにのみ開け、通常は落下の危険を防止するために閉じておく融雪槽の開閉蓋に関する。
【背景技術】
【０００２】
積雪地の融雪処理方法には、ロードヒーティングに代表されるように積もった雪をその場で融雪するものと、一箇所の槽内に雪を集めて投入して融雪するものなどがある。槽内に雪を投入して融雪するものとして、比較的小さな槽内に雪を投入してバーナーによる強力な加熱により短時間に融雪しようとする融雪機や、比較的大きな槽内に雪を投入して融雪機に比べて弱い加熱により長時間かけて融雪しようとする融雪槽がある。
【０００３】
この融雪槽では熱の逸散を防ぎ、雪の投入のし易さと、装置の設置場所が制限されるため地中に埋設されるのが一般的で、短時間で融雪しようとする融雪機に比べて装置の運転も静かとされている。
【０００４】
このような融雪槽としては、特許第２９９４２９１号公報に示されるように、融かすべき雪が投入される有底円筒状のコンクリートなどで構成された融雪槽本体と、その融雪槽本体の内部下方に設置された融雪装置部よりなり、融雪装置部にはその受雪盤の裏面に当接した発熱体を設け、発熱体の位置を融雪槽本体の底面と排水管の下側内壁との間のほぼ中央部として、融雪槽本体内に溜めた融雪水を暖め、融雪槽本体に投入され融雪水に浸された雪は融かされて液状となり、排水管から排水され、投入された雪は順次暖められた融雪水に達して融かされるものは知られている。
【０００５】
この融雪槽では、地表の雪を投入するための開口部と、この開口部を開閉するための一枚の上蓋が設けられている。
【０００６】
また、実用新案登録第３０９６５２５号公報に示されるように、無底箱型の融雪槽本体と、雪を投入するための開口部を開閉する蓋が二枚で、観音開きに開閉する開閉蓋も知られている。
【特許文献１】特許第２９９４２９１号公報
【特許文献２】実用新案登録第３０９６５２５号公報
【考案の開示】
【考案が解決しようとする課題】
【０００７】
上記のような融雪槽では開閉蓋の開き方向は固定であるが、融雪槽の回りの地表に降り積もった雪を融雪槽に投入するものであるから、あらゆる方向から雪を集めて来るが、開閉蓋が立っている側からは雪を投入できない。つまり、前記開閉蓋が一枚のものでは３方向から雪が投入でき、前記観音開きに開閉する開閉蓋が二枚のものでは２方向からしか雪が投入できない。
【０００８】
開閉蓋が立っている側から集めた雪は開閉蓋を回り込んで投入しなければならないが、重い雪を何回も運ぶのに遠回りするのは辛い作業となるため、融雪槽を設置する際に主に雪を投入する方向には開閉蓋が立たないようにする。しかし、開閉蓋が立っている側に雪が積もらないことは無く、なお遠回りする作業が残る。
【０００９】
また、開閉蓋が一枚のものでは３方向から雪が投入でき、前記観音開きに開閉する開閉蓋が二枚のものでは２方向からしか雪が投入できないから、投入方向の制限の面では開閉蓋が一枚のものが有利であるが、同じ大きさの開口を塞ぐ蓋としては二枚のものの方が略半分の重さとなり、軽く開閉できる。
【００１０】
一般家庭の地面下に埋設される融雪槽の設置場所としては、駐車用の場所に設置されることが多く、開閉蓋の上に車が載っても変形しないような強度が要求され、その強度を有するため鋼鉄製の蓋となり重くなる。
【００１１】
また、融雪槽を設置して雪を融雪しようとするのは、雪捨てが大変であり苦にしている高齢者や女性の場合が多く、このような非力な作業者にとって重い蓋を開閉するのは重労働となる。
【００１２】
さらに、蓋を閉めるとき融雪槽本体との間に雪が挟まると蓋がうまく閉じないため、融雪槽本体の上部の雪をきれいに取り除かなくてはならず、煩わしかった。
【００１３】
そこで本考案は、あらゆる方向から雪を融雪槽に投入でき、比較的軽く開閉でき、蓋を閉じるときの煩わしさの無い融雪槽の開閉蓋を提供することを目的とする。
【課題を解決するための手段】
【００１４】
請求項１の考案は、地面Ｅ下に埋設された融雪槽本体２内に融雪水Ｗを溜め、融雪槽本体２に投入された雪を融雪し、融雪された雪を融雪水Ｗとして融雪槽本体２外に排出する融雪槽１において、融雪槽本体２の上部に平面視で中央が矩形に開口した固定蓋11と、固定蓋11の開口11aの対向する周縁に平行に近接した一対の受軸11bと、固定蓋11の開口11aを塞ぎ受軸11bに載る開閉蓋12を設け、開閉蓋12の下面の両端部に略倒立「Ｕ」の字状の下向きに開口した一対の係合切欠き12cを設け、開閉蓋12の一対の係合切欠き12cが固定蓋11の一対の受軸11bにはまり込み、開閉蓋12を左右両方向に開閉可能としたものである。
【００１５】
請求項２の考案は、固定蓋11の開口11aを塞ぐ開閉蓋12を複数枚とし、垂直方向の側板12bに一対の係合切欠き12cを設けたものである。
【考案の効果】
【００１６】
請求項１の考案によれば、融雪槽本体の上部に平面視で中央が矩形に開口した固定蓋と、固定蓋の開口の対向する周縁に平行に近接した一対の受軸と、固定蓋の開口を塞ぎ受軸に載る開閉蓋を設け、開閉蓋の下面の両端部に略倒立「Ｕ」の字状の下向きに開口した一対の係合切欠きを設け、開閉蓋の一対の係合切欠きが固定蓋の一対の受軸にはまり込み、開閉蓋を左右両方向に開閉可能としたから、雪を運ぶ方向に開閉蓋が立たないように開けることができ、あらゆる方向から雪を融雪槽に投入できる。
【００１７】
請求項２の考案によれば、固定蓋の開口を塞ぐ開閉蓋を複数枚としたから、一枚の開閉蓋に比べると比較的軽く開閉できる。また、開閉蓋を各々異なる方向に開ければ、雪を運ぶ方向に開閉蓋が立たない部分ができ、あらゆる方向から雪を融雪槽に投入できる。
【００１８】
さらに、垂直方向の側板に一対の係合切欠きを設けたから、受軸と係合切欠きとの接触はほぼ線接触となり、雪が間に挟まる余地が無く、蓋を閉じるときに雪を取り除く煩わしさが無い。
【考案を実施するための最良の形態】
【００１９】
以下、本考案の一実施例につき図面を参照して説明する。
【００２０】
図１に示す融雪槽１は一般的な埋設型のもので、地面Ｅ下に埋設される上面開口の箱状のコンクリートからなる融雪槽本体２と、融雪槽本体２内に電気ヒーター４と排水ポンプ６と、融雪槽本体２の上面開口を塞ぐ槽蓋10と、地面Ｅ上にはタイマー21及び電力量計22や制御盤23を設ける。
【００２１】
融雪槽本体２は、その内側の辺長が約１１０cmの正方形、深さが約１５０cmの空間で、四辺の垂直な壁である槽壁2aと、その下部における底を形成する槽床2bと、その上部における槽壁2aの形成する空間より小さなほぼ正方形（一辺が約７０cm）の開口を有する槽天井2cにより形成される。この融雪槽本体２内に融雪水Ｗを溜める。
【００２２】
融雪槽本体２内の槽床2b中央上に脚に支持された保護カバー３を固定し、保護カバー３の裏面に当接して電気ヒーター４を設け、電気ヒーター４は電線５を介して制御盤23に連結される。電気ヒーター４は融雪槽本体２内の融雪水Ｗを暖め、融雪槽本体２に投入された雪を融雪し、融雪された雪を融雪水Ｗとする。
【００２３】
融雪槽本体２内の槽床2bの一隅上に脚に支持された排水ポンプ６を固定し、排水ポンプ６に排水管８を連結し、排水管８は公共排水桝に連結され、排水ポンプ６は電線５を介して制御盤23に連結される。排水ポンプ６は融雪槽本体２内の融雪水Ｗを排水管８を介して融雪槽本体２外に排出する。
【００２４】
排水ポンプ６上にフロートセンサー７を設け、フロートセンサー７は電線５を介して制御盤23に連結され、フロートセンサー７の位置まで融雪水Ｗが達すると信号を発して、排水ポンプ６を起動して融雪水Ｗを排出する。
【００２５】
排水ポンプ６やフロートセンサー７などを投雪から保護するよう覆う、縦長の排水管カバー９を設ける。
【００２６】
融雪槽本体２の上部における槽天井2cの上面開口を塞ぐ槽蓋10を設ける。槽蓋10は、固定蓋11と開閉蓋12から成る。
【００２７】
固定蓋11は、槽天井2cの上面開口よりやや大きい額縁様のもので、槽天井2cの上端面に載せられ開口にはまり込む、断面が倒立「Ｌ」の字状の枠体である。固定蓋11は、平面視で中央がほぼ正方形（一辺が約６７cm）の矩形に開口する。固定蓋11の開口11aは槽天井2cの上面開口よりやや小さくなる。
【００２８】
固定蓋11の開口11aの対向する周縁に平行に近接した左右一対の受軸11bを設ける。受軸11bは直径約２cmの丸棒でその両端は固定蓋11の開口11a周縁の垂直部に固定される。受軸11bの中心線は開口11aの周縁と約７cmの距離だけ離れて平行でかつほぼ水平に設けられ、一対の受軸11bにおいてその中心線の距離は約５３cmとした。
【００２９】
固定蓋11の開口11aを塞ぎ受軸11bに載る複数枚（実施例では２枚）の開閉蓋12を設ける。
【００３０】
開閉蓋12は、平面視で長辺が約６５cm、短辺が約３２cmの略長方形であり、その上面板12aは両短辺側端が下方に折れ曲がっている。開閉蓋12の両長辺側には、上面板12aの裏面から下方に垂直方向の一対の側板12bを設ける。
【００３１】
一対の側板12bの両端部に略倒立「Ｕ」の字状の下向きに開口した左右一対の係合切欠き12cを設ける。係合切欠き12cは、開閉蓋12の下面に位置することとなる。
【００３２】
一対の係合切欠き12cにおいてその中心線の距離は一対の受軸11bと同一とし、開閉蓋12の一対の係合切欠き12cが固定蓋11の一対の受軸11bにはまり込む。
【００３３】
開閉蓋12の両短辺側に上面板12aを通る一対の取手13を設ける。取手13は略「Ｔ」の字形状であり、その上部における水平方向の丸棒である持手13aと、持手13aの中心から下方に設けた丸棒である支持杆13bと、支持杆13bの下部に固定した抜け止めとしての座金13cとナット13dとから成る。取手13はその支持杆13bの部分で上面板12aに対して出没する。
【００３４】
開閉蓋12を左に開く場合は、右側の取手13を引いて開閉蓋12を持ち上げ、そのとき開閉蓋12は左側の係合切欠き12cが左側の受軸11bにはまり込んだまま回動する。開閉蓋12を右に開く場合は、左側の取手13を引いて同様にする。これにより、開閉蓋12を左右両方向に開閉可能とした。また、両方の取手13を引いて持ち上げることにより開閉蓋12を取り外すこともできる。
【００３５】
開閉蓋12の下方に落下防止ネット14を設ける。落下防止ネット14には丸棒を格子に組み合わせた格子体14aと、格子体14aの四隅から上方にフック14bを設け、フック14bを一対の受軸11bに掛け落下防止ネット14を取り外し可能に固定する。
【００３６】
以上の実施例では、開閉蓋12が２枚の例を示したが、開閉蓋12が１枚でも３枚以上でも良い。
【００３７】
また、電気ヒーター４によるものを示したが、灯油やガスのボイラーにより温水を循環させるようなものでも良い。
【００３８】
また、排水ポンプ６により融雪水Ｗを排水する例を示したが、規定水位以上を排水する排水管を設けて排水する、または地下浸透により排水するようにしても良い。
【図面の簡単な説明】
【００３９】
【図１】融雪槽の開閉蓋の一実施例を示す一部を切り欠いた正面図である。
【図２】その開閉蓋の開け方を変えた図である
【図３】図１の平面図である。
【図４】図１の要部を示す部分拡大図である。
【図５】図３の開閉蓋を取り除いた図である。
【図６】開閉蓋の正面図である。
【図７】取手の側面図である。
【符号の説明】
【００４０】
１  融雪槽
２  融雪槽本体
11  固定蓋
11a  開口
11b  受軸
12  開閉蓋
12b  側板
12c  係合切欠き
Ｅ  地面
Ｗ  融雪水
【図１】
0003127640.tif 000003
【図２】
0003127640.tif 000004
【図３】
0003127640.tif 000005
【図４】
0003127640.tif 000006
【図５】
0003127640.tif 000007
【図６】
0003127640.tif 000008
【図７】
0003127640.tif 000009